(57)【要約】【課題】  下地に複数の建築用シートを敷設固定する場合において、建築用シートのつなぎ目に段差がなく略平坦で作業性に優れた建築用シートのつなぎ目構造を提供することである。【解決手段】  下地の上に敷設される複数の建築用シートと、前記建築用シートの端部同士のつなぎ目に沿って前記建築用シートに接合される目地用部材とを備え、前記目地用部材は前記つなぎ目に対応する部分よりも端部の厚みが薄く形成されている建築用シートのつなぎ目構造である。【選択図】  図１
2016108825.tif 000002
【特許請求の範囲】
【請求項１】
下地の上に敷設される複数の建築用シートと、前記建築用シートの端部のつなぎ目に沿って前記建築用シートに接合される目地用部材とを備え、
前記目地用部材は前記つなぎ目に対応する部分から端部にかけて厚みが薄く形成されている建築用シートのつなぎ目構造。
【請求項２】
前記目地用部材が前記つなぎ目に対応する部分から両端にかけて傾斜している請求項１に記載の建築用シートのつなぎ目構造。
【請求項３】
線状の前記つなぎ目と略直交する方向に向けて傾斜している請求項１または請求項２に記載の建築用シートのつなぎ目構造。
【請求項４】
隣接する前記建築シートの端部が突き合わせまたは対向して敷設される請求項１〜３のいずれか１項に記載の建築用シートのつなぎ目構造。
【請求項５】
前記目地部材が前記下地と前記建築用シートの間に配置されている請求項１〜４のいずれか１項に記載の建築用シートのつなぎ目構造。
【発明の詳細な説明】
【技術分野】
【０００１】
本発明は下地の上に敷設された建築用シートのつなぎ目構造であって、複数の建築用シートを下地の上で敷設する建築用シートのつなぎ目構造に関するものである。
【背景技術】
【０００２】
一般にビル、マンション、戸建住宅等建築物の屋上、屋根、ベランダ、バルコニーなどの下地に防水シートや床シートなどの建築用シートを敷設する場合、複数の建築用シートを使用することを要する。たとえば屋上に防水シートを敷設して防水層を形成する場合、隣接する防水シートのつなぎ目においての漏水を防止するために、隣接シートを幅方向で重ねて施工する方法があるが、その重ね代部で生じる段差が問題となる場合があった。すなわち、この重ね代部での段差により雨水の流れが妨げられ、水がその重ね合わせた部分に溜まるという問題があった。
【０００３】
そこで、防水シートを重ね合わせずに段差なく複数の防水シートを接合する方法として、隣接する防水シートの端縁部同士を突き合わせた突き合わせ端縁部の下面にわたって、端縁部長手方向に沿った帯状の継ぎ目用防水シートが接着された重ね継ぎ部を構成し、その重ね継ぎ部の下の下地側に掘り込み部を設け、その掘り込み部に重ね継ぎ部の継ぎ目用防水シートを納めることで、隣接する防水シートを略平坦とする構造が提案されている。
【先行技術文献】
【特許文献】
【０００４】
【特許文献１】特開２００８−１９６１９２号公報
【発明の概要】
【発明が解決しようとする課題】
【０００５】
しかし、上記の場合、隣接する防水シートの突き合わせ端縁部と帯状の継ぎ目用防水シートで構成された重ね継ぎ部の下の下地側に掘り込み部を設けるために、継ぎ目用防水シートの厚み分薄い下地を別途配置する必要がある。それにより下地の配置が複雑になり作業効率の低下、施工時間の増加といった問題があった。
【０００６】
この発明は上記の問題点を解消するためになされたものであり、下地に複数の建築用シートを敷設固定する場合において、建築用シートのつなぎ目に段差がなく略平坦で作業性に優れた建築用シートのつなぎ目構造を提供することである。
【課題を解決するための手段】
【０００７】
即ち、本発明は上記問題を解決したものであり、請求項１では、下地の上に敷設される複数の建築用シートと、前記建築用シートの端部同士のつなぎ目に沿って前記建築用シートに接合される目地用部材とを備え、前記目地用部材は前記つなぎ目に対応する部分よりも端部の厚みが薄く形成されている建築用シートのつなぎ目構造。
請求項２では、前記目地用部材が前記つなぎ目に対応する部分よりも両端の厚みが薄くて形成されている請求項１に記載の建築用シートのつなぎ目構造。
請求項３では、前記目地用部材は線状の前記つなぎ目と略直交する方向に向けて傾斜している請求項１または請求項２に記載の建築用シートのつなぎ目構造。
請求項４では、隣接する前記建築シートの端部が突き合わせまたは対向して敷設される請求項１〜３のいずれか１項に記載の建築用シートのつなぎ目構造。
請求項５では、前記目地部材が前記下地と前記建築用シートの間に配置されている請求項１〜４のいずれか１項に記載の建築用シートのつなぎ目構造。
【発明の効果】
【０００８】
本発明によれば、複数の建築用シートを下地の上に敷設する際、建築用シートのつなぎ目に段差がなく略平坦で作業性に優れた建築用シートのつなぎ目構造を提供することができる。
【図面の簡単な説明】
【０００９】
【図１】本発明の建築用シートのつなぎ目構造の一態様を示す断面図である。
【図２】本発明の目地用部材の断面形状を示す断面図である。
【図３】図２（２−１）の目地用部材の変形例を示す断面斜視図である。
【図４】図1の建築用シートのつなぎ目構造の断面図の別例である。
【図５】本発明の建築用シートのつなぎ目構造の他の態様を示す断面図である。
【図６】本発明の建築用シートのつなぎ目構造の他の態様を示す断面図である。
【図７】本発明の建築用シートのつなぎ目構造の他の態様を示す断面図である。
【図８】本発明の建築用シートのつなぎ目構造の他の態様を示す断面図である。
【図９】本発明の建築用シートのつなぎ目構造の他の態様を示す断面図である。
【図１０】本発明の建築用シートのつなぎ目構造を用いた建築用シートの施工構造の一例を示す断面図である。
【図１１】本発明の建築用シートのつなぎ目構造を用いた建築用シートの施工構造の他例を示す断面図である。
【図１２】本発明の建築用シートのつなぎ目構造を用いた建築用シートの施工構造の他例を示す断面図である。
【図１３】本発明の建築用シートのつなぎ目構造を用いた建築用シートの施工構造の他例を示す断面図である。
【発明を実施するための形態】
【００１０】
以下に本発明の建築用シートつなぎ目構造について図面を参照して説明する。本発明は以下の実施形態に限定されるものではない。
【００１１】
本発明の建築用シートのつなぎ目構造の概要について図１を用いて説明する。本発明のつなぎ目構造は、略平坦な下地１に複数の建築用シート３を敷設固定する場合に隣接する建築用シート３−１および３−２の端部同士のつなぎ目に関する構造であり、該つなぎ目に沿って建築用シート３に接合される目地用部材２を備えている。本発明のつなぎ目構造の上面には段差がなく、つなぎ目部が周辺部に比べやや下地からの高さが高く形成されていることを特徴とする。これによりシート端部同士のつなぎ目という段差が生じやすい場所においても段差が生じず、またつなぎ目を中心としてそこから外側にかけてなだらかに傾斜を有する構造となっているためつなぎ目に水が溜まるといった問題も解消するものである。
【００１２】
ここで本発明の建築用シートのつなぎ目構造を構成する各部材について説明する。
【００１３】
＜下地＞
下地１は特に制限なく使用できるが、ビル、マンション、戸建て住宅等建築物の屋上、屋根、ベランダ、テラス等のコンクリート下地、軽量発泡コンクリート下地、金属下地、木質下地、無機質ボードなどに適用される。
【００１４】
無機質ボードとしては石膏ボード、セメントボード、ケイ酸カルシウムボード、樹脂強化板などがあげられるが、反りが少なく寸法安定性に優れるために、無機質を熱硬化性樹脂で固化強化した樹脂強化板がより好ましい。
また上記の下地１には各種処理剤等で表面に処理が施されていてもよく、例えば表面を平滑にするための下地調整材が塗布されていたり、また塗膜防水などにより防水層が形成されていてもよい。
【００１５】
＜目地用部材＞
目地用部材２は建築用シート３の端部同士のつなぎ目に沿って前記建築用シートに接合される部材であり、特につなぎ目の水密性が要求される場所においては建築用シート３の端部同士のつなぎ目に沿って連続して接合されることが好ましく、目地用部材２は帯状のものが好適に用いられる。目地用部材２はつなぎ目に対応する部分から該つなぎ目に対応する部分Ａと並列する端部Ｂにかけて厚みが薄く形成されている。また目地用部材２は単一の部材であってもよく、複数の部材から構成されていてもよい。
【００１６】
図２は目地用部材２の幅方向（つなぎ目に対して垂直方向）の断面形状の例を示すものである。以下図２を用いて目地用部材２の形状の詳細を説明する。
【００１７】
図２の目地用部材２−１は断面が略二等辺三角形であり、Ａが建築シート３のつなぎ目に対応する部分であり、両側の端部Ｂ１、Ｂ２を結んだ底面が下地側に配置される面となる。目地用部材２−１はつなぎ目に対応する部分Ａの厚みＡＡ´よりも端部Ｂ（Ｂ１、Ｂ２）の厚みが薄く形成されている。
【００１８】
目地用部材２−２のように断面が台形形状であっても良い。この場合建築用シート３のつなぎ目は端部Ｃ１、Ｃ２を結んだ面上の略中央部に対応させることが好ましい。目地用部材２−２は両側の端部Ｂ１、Ｂ２を結んだ底面が下地側に配置される面となる。目地用部材２−２はつなぎ目に対応する部分Ａの厚みＡＡ´よりも端部Ｂ（Ｂ１、Ｂ２）の厚みが薄く形成されている。
【００１９】
目地用部材２−３のように断面が二つの直角三角形を組み合わせたような形状であっても良い。この場合、目地用部材２−３は建築用シート３のつなぎ目に対応する部分ＡがＡ１およびＡ２の二か所となる。つなぎ目に対応する部分Ａ２と片側の端部Ｂ２を結んだ底面が下地側に配置される面となる。目地用部材２−３はつなぎ目に対応する部分Ａ（Ａ１、Ａ２）の厚みＡＡ´（Ａ１Ａ´１、Ａ２Ａ´２）よりも端部Ｂ（Ｂ１、Ｂ２）の厚みが薄く形成されている。
【００２０】
目地用部材２−４は断面が略直角辺三角形であり、Ａが建築用シート３のつなぎ目に対応する部分であり、片側の端部ＢとＡ´を結んだ底面が下地側に配置される面となる。目地用部材２−４はつなぎ目に対応する部分Ａの厚みＡＡ´よりも端部Ｂの厚みが薄く形成されている。
【００２１】
目地用部材２の厚みは極力薄い方が建築用シート３のつなぎ目がより平滑となり好ましいが、薄すぎるとつなぎ目部分の接合強度が低下する恐れがある。このため目地用部材２の建築用シート３のつなぎ目に対応する部分の厚みは０．１〜１０．０ｍｍが好ましく、さらに０．５〜５．０ｍｍが好ましい。また目地用部材２の厚みは０．０１〜１．０ｍｍが好ましく、さらに０．０５〜０．５ｍｍが好ましい。
【００２２】
目地用部材２は、建築用シート３のつなぎ目に対応する部分Ａから端部Ｂにわたる部分に傾斜を有していることが好ましく、さらに目地用部材２は建築用シート３のつなぎ目に対応する部分Ａから端部Ｂにわたって全体が傾斜していることが好ましい。
例えば、図２の目地用部材２−１の場合、建築用シート３のつなぎ目に対応する部分Ａから端部Ｂ１または端部Ｂ２にわたる部分に傾斜を有しており、またつなぎ目に対応する部分Ａから端部Ｂ１または端部Ｂ２にわたって全体的に傾斜している。目地用部材２−２の場合、建築用シート３のつなぎ目に対応する部分Ａから端部Ｂ１または端部Ｂ２にわたる部分に部分的に傾斜を有している。目地用部材２がこのような傾斜を有していることで、建築用シート３のつなぎ目に水が溜まりにくくなる効果がある。目地用部材２−１、２−２でみると、つなぎ目に対応する部分Ａから端部Ｂにわたる部分に部分的に傾斜を有している目地用部材２−２に比べ、つなぎ目に対応する部分Ａから端部Ｂにわたる部分に全体的に傾斜を有している目地用部材２−１の方が水が溜まりにくい効果がより向上する。
【００２３】
このように目地用部材２に傾斜を設けることでつなぎ目に対応する部分Ａの厚みを厚くすることができる。これにより建築用シート３−１と建築用シート３−２とのつなぎ目（接合目地）部分の接合強度を大きくできる。ここで、建築用シート３−１と建築用シート３−２とをその端部同士を突き合わせて接合する場合（例えば図１）において、建築用シート３同士の端面は充分に接合できない場合があるが、つなぎ目部分（接合目地）には目地用部材２が配置され目地用部材２の表面と建築用シート３−１および建築用シート３−２の裏面とが接合されている。そのため、つなぎ目部分（接合目地）に応力が作用した場合でも目地用部材２がその応力に対抗することができる。この場合において、つなぎ目に対応する部分Ａを厚く形成することでこの応力への対抗は強くなるため好ましい。しかし、端部Ｂまでも厚みが厚いと段差が大きくなり水たまりが生じやすくなってしまう。それに対し、端部Ｂを薄く形成し目地用部材２に傾斜を設けることで、段差が生じるのを回避し水たまりが生じ難く、つなぎ目に対応する部分Ａの厚みが厚いために接合強度にも優れることとなる。
【００２４】
目地用部材２の前記つなぎ目に対応する部分Ａから端部Ｂにかけての傾斜は１/２００〜１/５が好ましく、１/１００〜１/２０がさらに好ましい。
傾斜が小さすぎると厚みを確保するために幅を広くする必要があり、建築用シートとの接合面が広くなり作業性が悪化する。
傾斜が大きすぎると建築用シート３と接合した際、下地面からみて平坦でなくなってしまう。
また傾斜の向きは、建築用シート３の端部同士のつなぎ目である線状のつなぎ目と略直交する方向に向けて傾斜していることが好ましい。
【００２５】
図２の目地用部材２−１および２−２は、主に建築用シート３の端部同士を突き付けて接合したつなぎ目構造とする場合に用いられ、図１のように下地１の上に目地用部材２−１を配置し、その上に建築用シート３−１、３−２の端部同士を突き付けて接合したつなぎ目構造とする場合に、建築用シート３のつなぎ目に対応する部分Ａに目印を設けることができる。図３は目地用部材２−１の変形例を示したものである。図３の目地用部材２−１ａはつなぎ目に対応する部分Ａに目印として凹条を形成した例であり、目地用部材２−１ｂは目印として直線状の描画を施した例である。目印としてはこれに限定されず、たとえば凸条であったり、破線や点線などの描画であってもよい。このような目印を設けることによって目地用部材２のつなぎ目に対応する部分Ａに正確に建築用シート３のつなぎ目を合致させることができ、これによりつなぎ目の浮きやつなぎ目に水だまりができることを防止する効果が高まる。また目印として凹条を形成した場合は、つなぎ目の目地処理剤として溶接棒やシーラーなどを凹条に挿入することができ、端部処理の仕上がりが奇麗になるという効果も得られる。
【００２６】
目地用部材２は、合成樹脂製、金属板等を適時選択することが出来、これらを複合して用いることもできる。
本発明で用いられる目地用部材２は合成樹脂製の場合、ポリエチレン、ポリプロピレン等のオレフィン樹脂や、エチレン-酢酸ビニル共重合樹脂、エチレン-（メタ）アクリル酸エステル、ポリ塩化ビニル、ポリ塩化ビニリデン樹脂、塩素化ポリエチレン、アクリル系樹脂、スチレン系樹脂、スチレンブタジエンゴム、アクリロニトリルブタジエンゴムなどが挙げられ、これら２種類以上の樹脂を組み合わせて使用しても良い。
【００２７】
上記合成樹脂の中でも成形加工性、柔軟性に優れるために、ポリ塩化ビニル系樹脂が好適に用いられる。
目地用部材２に用いられるポリ塩化ビニル系樹脂としては、塩化ビニル単独重合体であるポリ塩化ビニル樹脂、塩化ビニルと酢酸ビニル、エチレン、（メタ）アクリル酸エステル、塩化ビニリデン等との共重合体などが使用でき、経済性、加工性の面からポリ塩化ビニル樹脂が好ましい。
【００２８】
また目地用部材２は、単層でも複層でも使用することが出来、基材を積層することもできる。基材としては、木綿、麻等の天然繊維、ポリエステル、ポリエチレン、アクリル等の合成繊維、ガラス繊維の織布や不織布を用いることができる。中でも、寸法安定性、加工性の点から、ポリエステル不織布、ガラス不織布、ガラス織布が好ましい。
【００２９】
目地用部材２はそれぞれの層を別の組成から成る層で構成してもよいし、同一の組成で構成してもよい。また、前記基材は、最下層に積層しても、各層の間に積層することもできる。
【００３０】
目地用部材２に合成樹脂を使用する場合には、必要に応じ可塑剤、酸化防止剤、滑剤、安定剤、紫外線吸収剤、光安定剤、加工助剤、充填材、難燃剤、顔料などを添加することができる。
【００３１】
可塑剤としては、ＤＯＰ、ＤＩＮＰ、ＤＵＰ、ＤＯＴＰなどのフタル酸系可塑剤、ＤＯＡ、ＤＩＮＡ、ＤＩＤＡなどのアジピン酸系可塑剤、ポリエステル系可塑剤、トリメリット酸系可塑剤、ＴＣＰ、ＴＸＰなどのリン酸エステル系可塑剤、エポキシ化大豆油等のエポキシ系可塑剤、ＤＩＮＣＨなどのシクロヘキサン系可塑剤などが使用できる。なかでも、ＤＯＰ、ＤＩＮＰなどのフタル酸系可塑剤が耐候性、耐久性、可塑化効率、相溶性、加工性の面から好ましい。
【００３２】
たとえば合成樹脂としてポリ塩化ビニル系樹脂を用いる場合、可塑剤の添加量は加工性、柔軟性の観点からポリ塩化ビニル系樹脂１００重量部に対して1０重量部〜1００重量部が好ましく、３０〜7０重量部がさらに好ましい。
【００３３】
また充填材としては、炭酸カルシウム、炭酸マグネシウム、水酸化アルミニウム、水酸化マグネシウム、タルク、カリオン、マイカ、ケイ酸マグネシウムなどの無機系充填材が使用できる。たとえば合成樹脂としてポリ塩化ビニル系樹脂を用いる場合、充填材の添加量は、経済性、加工性、柔軟性の面からポリ塩化ビニル１００重量部に対して５〜２００重量部が好ましく、５０〜１５０部がさらに好ましい。
【００３４】
＜建築用シート＞
本発明で用いられる建築用シート３は、塩化ビニル系、オレフィン系、アクリル系、ゴム系など合成樹脂製の建築用シート等が使用できる。塩化ビニル系建築用シートが、施工性、シート同士の溶着性、建築用シート固定金具との密着性の点から好ましい。
建築用シート３の厚さとしては、０．５〜５．０ｍｍのものが使用でき、防水性能の安全性から１．０〜２．５ｍｍが好ましい。
【００３５】
また建築用シート３は、単層でも複層でも使用することが出来る。また、複層の場合は、基材を積層することもできる。基材としては、木綿、麻等の天然繊維、ポリエステル、ポリエチレン、アクリル等の合成繊維、ガラス繊維の織布や不織布を用いることができる。中でも、寸法安定性、加工性の点から、ポリエステル不織布、ガラス不織布、ガラス織布が好ましい。
【００３６】
建築用シート３が複層である場合には、それぞれの層を別の組成から成る層で構成してもよいし、同一の組成で構成してもよい。また、前記基材は、最下層に積層しても、各層の間に積層することもできる。
建築用シート３と目地用部材２とを接合する場合や建築用シート３同士を重ねて接合する際に、溶剤溶着や熱風溶接が出来るという点から、最上層および最下層が熱可塑性樹脂層で構成されていることが好ましい。例えば、ポリ塩化ビニル系防水シートの場合、最上層及び最下層がポリ塩化ビニル樹脂製であってその中間に前記基材を積層したものを好適に使用できる。また建築用シート３がポリ塩化ビニル系シートの場合には目地用部材２もポリ塩化ビニル系樹脂製のものが好適に用いられる。
【００３７】
建築用シート３は歩行時の防滑性を得る目的や意匠性を発現するため、その表面に規則性或いは不規則性の凹凸が設けられていても良く、また表面に印刷等の意匠層が設けられていても良い。このような建築用シート３はマンション等の開放廊下やベランダといった場所に好適に用いられる。
【００３８】
＜つなぎ目構造＞
本発明のつなぎ目構造について図面を用いて具体的に説明する。
【００３９】
図１、図４〜図９に本発明のつなぎ目構造の態様が示されている。これらを建築用シート３のつなぎ方で大別すると、図１、図４、図５のように建築用シート３の端部同士を突き合わせて接合したもの（分類ｉ）、図６のように建築用シート３の端部同士を対向して接合したもの（分類ｉｉ）、図７〜図９のように建築用シート３の端部同士を重ね合わせて接合したもの（分類ｉｉｉ）に分類できる。
【００４０】
分類ｉのつなぎ目構造には図２の目地用部材２−１、２−２が好適に用いられる。
図１のつなぎ目構造においては、目地用部材２−１が使用されており、下地1に目地用部材２−１が固定され、建築用シート３-１、３-２の端部３−１ａ、３−２ａが突き合わせた状態で建築用シート３-１および３-２の端縁部の裏面と目地用部材２−１の表面とが固定されている。そして本構造において目地用部材２−１の断面の頂点で建築用シート３−１、３−２のつなぎ目が構成されているために段差が生じず、略平坦なつなぎ目構造とすることができ、さらに目地用部材２−１は建築用シート３のつなぎ目に対応する部分から端部にわたって平坦部分がなく全体が傾斜しているためにつなぎ目に水が溜まらず排水される。またこの場合、建築用シート３−１、３−２が最表面にくるため、建築用シート３の意匠性を損なわずに済むためマンションの開放廊下やバルコニーの床面といった場所に好適に用いることができ、屋外の使用においても目地用部材２に建築用シート３程の耐候性を付与する必要もない。
【００４１】
図４のように目地用部材２−１が建築用シート３の上に配置されていても構わない。この場合、建築用シート３−１、３−２の端部３−１ａ、３−２ａを隣接する状態で下地に固定した後、そのつなぎ目に沿って目地用部材２−１を固定できるため施工性が良い。
【００４２】
図５のつなぎ目構造においては、断面が台形形状の目地用部材２−２が用いられており、建築用シート３−１，３−２の端部同士（３−１ａ，３−２ｂ）を目地用部材２−２の平坦部分の上で接合することで建築用シート３-１、３-２の端縁部が下地１に対して平行な状態で目地用部材２−２と接合できるため、目地用部材２−２の傾斜部分の傾斜が大きくても建築用シート３の端部同士のつなぎ目が開く恐れは目地用部材２−１の場合（図１）と比較してかなり低くなる。
【００４３】
分類ｉｉのつなぎ目構造には図２の目地用部材２−３が好適に用いられる。
図６のつなぎ目構造において建築用シート３−１と３−２の端部同士（３−１ａ，３−２ｂ）は突き合わせずに対向した状態で目地用部材２−３に接合されており、建築用シート３−１の端部３−１ａは目地用部材２−３のＡ２と接しており、建築用シート３−２の端部３−２ａは目地用部材２−３のＡ１と接している。建築用シート３−１と３−２の端部同士は突き合わせずに対向した状態で目地用部材２−３に接合されているため、建築用シート３を敷設する際に分類ｉの突き合わせの場合に比べて敷設位置を合わせやすいという利点がある。本つなぎ目構造を形成するには建築用シート３-１を先に下地に固定した後、建築用シート３-１の端部３-１ａに沿って目地用部材２−３を備えてから建築用シート３-２を接合してもよく、目地用部材２−３を先に下地１に固定した後、建築用シート３−１、３−２と接合しても良い。
【００４４】
分類ｉｉｉのつなぎ目構造には図２の目地用部材２−４が好適に用いられる。
図７〜９のつなぎ目構造において建築用シート３−１と３−２の端部同士は重ね合わせて接合され、建築用シート３−１の端部３−１ａと建築用シート３−２の端部３−２ａの両方またはいずれか一方に目地用部材２−４（２−４´）が当接されている。図７のように目地用部材２はつなぎ目構造に対し複数の部材からなるものであってもよく、図７の目地用部材２は目地用部材２−４と目地用部材２−４´を複合したものであり、この場合の目地用部材２はつなぎ目に対応する部分よりも両端の厚みが薄く形成されているといえる。
分類ｉｉｉのつなぎ目構造は、分類ｉおよび分類ｉｉの構造に比べてつなぎ目の平滑性はやや乏しい傾向にあるが、建築シート３の端縁部同士を重ね合わせて接合しているため水密性により優れる構造であり、屋上や屋根の防水構造に好適に用いることができる。
【００４５】
下地１に対して目地用部材２を固定する場合には、各種接着剤や粘着材、両面テープ等を用いて接着する他、固定用ディスク等の固定板とビス等の固定部材を用いた機械固定により行うことができる。また下地１に対する建築用シート３の固定は、各種接着剤や粘着材、両面テープによる接着の他、固定用ディスク等の固定板とビス等の固定部材を用いた機械固定により行うことができる。目地用部材２と建築用シート３の固定には、各種接着剤や粘着材、両面テープによる接着の他、溶剤による液溶着や熱による熱溶着により溶着することで行うことができる。
【００４６】
建築用シート３を機械的固定法により下地１に固定する場合は、たとえば下地１の上に金属板の表面を樹脂層で被覆した樹脂被覆固定用金属ディスクを配置し、その上からビスにより樹脂被覆固定用金属ディスクを下地１に固定し、その上に建築用シート３を敷設して樹脂被覆固定用金属ディスクの樹脂層と建築用シート３の裏面とを熱風溶接機や溶剤や誘導加熱により溶着接合することができる。この場合には帯状の樹脂被覆鋼板を用いることも出来る。
【００４７】
本発明のつなぎ目構造において、建築用シート３同士の接合目地８および目地用部材２と建築用シート３との接合目地９には、各種目地処理剤により目地処理を施すことができる。目地処理剤としては合成樹脂系の液シーラー、シーリング材、溶接棒などを用いることができる。目地処理を施すことにより施工後に目地が開いたり剥がれたりすることを防止でき、目地の水密性も向上する。
【００４８】
本発明のつなぎ目構造は図１に図示した建築用シート３のつなぎ目の略中央部（つなぎ目中心Ｄ）からつなぎ目構造の端部（つなぎ目構造端部Ｅ）にわたる部分に傾斜を有していることが好ましく、さらにつなぎ目中心Ｄからつなぎ目構造端部Ｅにわたって全体が傾斜していることが好ましい。つなぎ目構造がこのような傾斜を有していることで、建築用シート３のつなぎ目に水が溜まりにくくなる効果があり、つなぎ目中心Ｄからつなぎ目構造端部Ｅにわたって全体が傾斜しているとその効果がより向上する。
つなぎ目中心Ｄからつなぎ目構造端部Ｅにかけての傾斜は１/２００〜１/５が好ましく、１/１００〜１/２０がさらに好ましい。
【００４９】
住宅等のベランダのように傾斜が設けられた下地を用いる際においても本発明の実施形態を用いることができる。この場合、建築用シート３のつなぎ目があっても目地用部材２を用いることでつなぎ目を段差なく形成することができ、水たまりを生じることなく排水することができる。なお下地の傾斜はコンクリート下地等を傾斜して設けてもよいし、コンクリート下地等の上に勾配を有する断熱材等を敷設してもよい。
【００５０】
また本発明のつなぎ目構造を用いた建築用シート３の施工構造において、下地１と建築用シート３および目地用部材２との間に他の層を設けることができ、たとえば断熱ボードや無機質ボードなどを設けることができる。
【００５１】
無機質ボードとしては、石膏ボード、セメントボード、ケイ酸カルシウムボード、樹脂強化板などが挙げられるが、反りが少なく寸法安定性に優れるために、無機質材料を熱硬化性樹脂で固化強化した樹脂強化板がより好ましい。
【００５２】
断熱ボードは、ポリスチレンフォーム、硬質ウレタンフォーム、フェノールフォーム等の断熱材が使用でき、強度を考慮するとクラフト紙やアルミ箔が両面に積層された断熱材は好ましい。断熱材の厚さは２０、２５、５０、７５、１００ｍｍなどがあり、各仕様に合わせて設定する。タテ、ヨコの寸法は規格品（９１０ｍｍ×１８２０ｍｍ、９１０ｍｍ×９１０ｍｍ、３０ｍｍ×５０ｍｍなど）を施工現場に合わせて裁断し使用する。断熱材の厚さは各仕様に合わせて設定するが、厚い断熱材を必要とするときは、搬入、孔開け時の手間、ソリの問題などを考慮すると、厚さの厚い断熱材を１枚で使用するより、厚さの薄いものを複数枚重ねて使用することが好ましい。また、勾配をとる必要がある場合には、勾配のある断熱ボードを使用することが出来る。
【００５３】
無機質ボードや断熱ボードの下地１への固定方法は特に限定されないが、無機質ボードや断熱ボードの上に固定用ディスクなどの固定板を配置しその上からビスなどの固定部材により下地１に止めつける方法がある。
【００５４】
下地１に対する建築用シート３の固定および無機質ボードや断熱ボードの下地１への固定において使用される、固定用ディスクなどの固定板は樹脂製のものや樹脂層が被覆された金属製のものが使用できる。金属製の固定ディスクを構成する鋼鈑の材質としては、ステンレス板や、亜鉛・アルミニウム・マグネシウムメッキまたは亜鉛メッキ等の防錆処理が施された鋼板など、多湿状態でも錆びにくい鋼鈑が好適に使用される。厚みとしては、０．６〜１．５ｍｍ程度で、形状は正方形または長方形をした矩形状のプレート状や、円形または楕円形状のディスク状など任意であり、大きさは１辺または外径が５０〜１００ｍｍ程度に形成される。
【００５５】
またビスなどの固定部材は、材質としては、炭素鋼、合金鋼、ステンレス鋼等の鋼材などが使用できる。また、防水シート固定ディスク等の上面から頭部がはみ出ないように、固定ビスの頭部形状は皿、平、なべがよく、ドライバーやレンチで掛ける座面の窪み形状は十字穴、六角穴、四角穴が好ましい
【００５６】
本発明の実施例について図１０、１１、１２、１３を用いて説明する。
【００５７】
図1０の施工構造について説明する。
コンクリート下地1Ｍの上に断熱ボード４が設置され、さらにその上から無機質ボード５が設置され固定用ディスク６とビス７で下地1Ｍに固定されている。幅方向の断面形状が二等辺三角形のポリ塩化ビニル系樹脂製の目地用部材２Ｍ−１と無質機ボード５がエポキシ系接着剤 (図示せず)で固定され、ポリ塩化ビニル系防水シート３Ｍ−１と無質機ボード５がエポキシ系接着剤 (図示せず)で固定され、ポリ塩化ビニル系防水シート３Ｍ−２と無質機ボード５がエポキシ系接着剤 (図示せず)で固定されている。ポリ塩化ビニル系防水シート３Ｍ−１の端部３Ｍ−１ａとポリ塩化ビニル系防水シート３Ｍ−２の端部３Ｍ−２ａとが突き合わせるよう配置され、ポリ塩化ビニル系防水シート３Ｍ-１、３Ｍ-２とポリ塩化ビニル系樹脂製の目地用部材２Ｍ−１は溶剤溶着されている。ポリ塩化ビニル系防水シート３Ｍ-１、３Ｍ-２の接合目地８はシーラー（図示せず）で処理されている。
【００５８】
図1０の施工方法について説明する。
コンクリート下地1Ｍの上に断熱ボード４を設置し、さらにその上から無機質ボード５を設置し固定用ディスク６とビス７で下地1Ｍに固定する。無機質ボード５の表面にエポキシ系接着剤(図示せず)を塗布する。その上からポリ塩化ビニル系防水シート３Ｍ-１の端縁部を除く部分とポリ塩化ビニル系樹脂製の目地用部材２Ｍ−１とを敷設して無機質ボード５に接着する。続いてポリ塩化ビニル系防水シート３Ｍ-２をポリ塩化ビニル系防水シート３Ｍ-１と互いの隣接する端部３Ｍ-２ａ、３Ｍ-１ａが突き合わさるように敷設し、端縁部を残してコンクリート下地１Ｍに接着する。ポリ塩化ビニル系防水シート３Ｍ-１、３Ｍ-２の裏面とポリ塩化ビニル系樹脂製の目地用部材２Ｍ−１の表面を溶剤により溶着する。ポリ塩化ビニル系防水シート３Ｍ-１、３Ｍ-２の接合目地８にシーラー（図示せず）を塗布する。
【００５９】
図１１の施工構造について説明する。
コンクリート下地１Ｍの上に断熱ボード４が設置され、さらにその上から無機質ボード５が設置され固定用ディスク６とビス７で下地1Ｍに固定されている。ポリ塩化ビニル系防水シート３Ｍ−１と無質機ボード５がエポキシ系接着剤(図示せず)で固定され、ポリ塩化ビニル系樹脂製の目地用部材２Ｍ−３と無質機ボード５がエポキシ系接着剤 (図示せず)で固定され、ポリ塩化ビニル系防水シート３−２Ｍと無質機ボード５がエポキシ系接着剤 (図示せず)で固定されている。ポリ塩化ビニル系防水シート３Ｍ−１の端部３Ｍ−１ａと目地用部材２Ｍ−３のつなぎ目に対応する部分Ａ２とが当接され、ポリ塩化ビニル系防水シート３Ｍ−２の端部３Ｍ−２ａと目地用部材２Ｍ−３のつなぎ目に対応する部分Ａ１とが当接されるよう配置され、建築用シート３Ｍ−１、３Ｍ−２と目地用部材２Ｍ−３は溶剤溶着されている。またポリ塩化ビニル系防水シート３Ｍ−１、３Ｍ−２と目地用部材２Ｍ−３との接合目地９はシーラー（図示せず）で処理されている。
【００６０】
図１１の施工方法について説明する。
コンクリート下地１Ｍの上に断熱ボード４を設置し、さらにその上に無機質ボード５を設置し固定用ディスク６とビス７で下地1Ｍに固定する。無機質ボード５の表面にエポキシ系接着剤(図示せず)を塗布し、その上からポリ塩化ビニル系防水シート３Ｍ−１を敷設して固定する。更にポリ塩化ビニル系樹脂製の目地用部材２Ｍ−３をポリ塩化ビニル系防水シート３Ｍ−１の端部３Ｍ−１ａと目地用部材２Ｍ−３のつなぎ目に対応する部分Ａ２とが当接するようにしてエポキシ系接着剤(図示せず)が塗布された無質機ボード５に固定する。続いてポリ塩化ビニル系防水シート３Ｍ−２をポリ塩化ビニル系防水シート３Ｍ−２の端部３Ｍ−２ａと目地用部材２Ｍ−３のつなぎ目に対応する部分Ａ１とが当接するようにして敷設し、エポキシ系接着剤 (図示せず) が塗布された無質機ボード５に固定する。ポリ塩化ビニル系防水シート３Ｍ−１および３Ｍ−２の端縁部と目地用部材２Ｍ−３とを溶剤により溶着する。そして３Ｍ−１、３Ｍ−２と目地用部材２Ｍ−３との接合目地９にシーラー（図示せず）を塗布する。
【００６１】
図１２の施工構造について説明する。
コンクリート下地１Ｍの上に断熱ボード４が設置され、さらにその上から無機質ボード５が設置され固定用ディスク６とビス７で下地1Ｍに固定されている。ポリ塩化ビニル系防水シート３Ｍ−１と無質機ボード５がエポキシ系接着剤(図示せず)で固定され、ポリ塩化ビニル系樹脂製の目地用部材２Ｍ−４´と無質機ボード５がエポキシ系接着剤 (図示せず)で固定され、ポリ塩化ビニル系防水シート３Ｍ−２と無質機ボード５がエポキシ系接着剤 (図示せず)で固定されている。ポリ塩化ビニル系防水シート３Ｍ−１の端部３Ｍ−１ａと目地用部材２Ｍ−４´のつなぎ目に対応する部分Ａ´とが当接され、ポリ塩化ビニル系防水シート３Ｍ−２の端部３Ｍ−２ａとポリ塩化ビニル系樹脂製の目地用部材２Ｍ−４のつなぎ目に対応する部分Ａとが当接されるよう配置され、ポリ塩化ビニル系防水シート３Ｍ-１と目地用部材２Ｍ−４、ポリ塩化ビニル系防水シート３Ｍ-２と目地用部材２Ｍ−４´は溶剤溶着されており、ポリ塩化ビニル系防水シート３Ｍ-１と３Ｍ-２の重ね合わせ部は溶剤溶着されている。またポリ塩化ビニル系防水シート３Ｍ−１、３Ｍ−２と目地用部材２Ｍ−４との接合目地９はシーラー（図示せず）で処理されている。
【００６２】
図１２の施工方法について説明する。
コンクリート下地１Ｍの上に断熱ボード４を設置し、さらにその上から無機質ボード５を設置し固定用ディスク６とビス７で下地1Ｍに固定する。無機質ボード５の表面にエポキシ系接着剤(図示せず)を塗布し、その上からポリ塩化ビニル系防水シート３Ｍ−１を敷設して固定する。更にポリ塩化ビニル系樹脂製の目地用部材２Ｍ−４´をポリ塩化ビニル系防水シート３Ｍ−１の端部３Ｍ−１ａと目地用部材２Ｍ−４´のつなぎ目に対応する部分Ａ´とが当接するように配置してエポキシ系接着剤(図示せず)が塗布された無質機ボード５に固定する。続いてポリ塩化ビニル系防水シート３Ｍ−２をポリ塩化ビニル系防水シート３Ｍ−１の端縁部と目地用部材２Ｍ−４´を覆うようにして敷設し、エポキシ系接着剤(図示せず)が塗布された無質機ボード５に固定する。ポリ塩化ビニル系防水シート３Ｍ−２の裏面と目地用部材２Ｍ−４´の表面、およびポリ塩化ビニル系防水シート３Ｍ−１、３Ｍ−２の端縁部同士の重ね合わせ部を溶剤により溶着する。続いてポリ塩化ビニル系樹脂製の目地用部材２Ｍ−４をポリ塩化ビニル系防水シート３Ｍ−２の端部３Ｍ−２ａと目地用部材２Ｍ−４のつなぎ目に対応する部分Ａとが当接するようにして載置し、ポリ塩化ビニル系防水シート３Ｍ−１の表面および３Ｍ−２の端部３Ｍ−２ａと目地用部材２Ｍ−４とを溶剤により溶着する。そしてポリ塩化ビニル系防水シート３Ｍ−１、３Ｍ−２と目地用部材２Ｍ−４との接合目地９にシーラー（図示せず）を塗布する。
【００６３】
図1３の施工構造について説明する。
コンクリート下地1Ｍの上にウレタン系塗膜防水層１０が形成されている。幅方向の断面形状が二等辺三角形のポリ塩化ビニル系樹脂被覆鋼板からなる目地用部材２Ｎ−１とポリ塩化ビニル系床シート３Ｎ-１、３Ｎ-２とがウレタン系接着剤(図示せず)でウレタン系塗膜防水層１０が被覆されたコンクリート下地１Ｍに固定されている。ポリ塩化ビニル系床シート３Ｎ-１、３Ｎ-２とポリ塩化ビニル系樹脂被覆鋼板からなる目地用部材２Ｎ−１はウレタン系接着剤(図示せず)により接着されている。ポリ塩化ビニル系床シート３Ｎ-１、３Ｎ-２の接合目地８にはＶ字状の溝部が形成され塩化ビニル樹脂系の溶接棒１１により溶接されている。
【００６４】
図1３の施工方法について説明する。
コンクリート下地1Ｍの上にウレタン系塗膜防水剤を塗布して乾燥固化させウレタン系塗膜防水層１０を形成する。その上からウレタン系接着剤(図示せず)を塗布し、ポリ塩化ビニル系床シート３Ｎ-１の端縁部を除く部分とポリ塩化ビニル系樹脂被覆鋼板からなる目地用部材２Ｎ−１とをウレタン系塗膜防水層１０が被覆されたコンクリート下地１Ｍに接着する。続いて３Ｎ-２をポリ塩化ビニル系床シート３Ｎ-１と互いの隣接する端部３Ｎ-２ａ、３Ｎ-１ａが突き合わさるように敷設し、端縁部を残してウレタン系塗膜防水層１０が被覆されたコンクリート下地１Ｍに接着する。ポリ塩化ビニル系樹脂被覆鋼板からなる目地用部材２Ｎ−１の表面にウレタン系接着剤（図示せず）を塗布し、ポリ塩化ビニル系床シート３Ｎ-１、３Ｎ-２の裏面とポリ塩化ビニル系樹脂製の目地用部材２Ｎ−１の表面を接着する。ポリ塩化ビニル系床シート３Ｎ-１、３Ｎ-２の接合目地８に溝切りカッターでＶ字状の溝部を形成し、その溝部に塩化ビニル樹脂系の溶接棒１１をライスターを用いて溶接して余盛り部分を専用のナイフでカットして仕上げる。
【産業上の利用可能性】
【００６５】
本発明の建築用シートのつなぎ目構造は下地に特別な加工を施すことなく段差のない略平坦なつなぎ目構造とすることができ、各種建築用シートのつなぎ目に適用することができる。また本発明は段差がないため水が溜まりにくいという特徴から、ビル、マンション、戸建住宅等建築物の屋上、屋根、ベランダ、バルコニーなどの下地に防水シートや床シートなどの建築用シートを敷設する際に生じる建築用シートのつなぎ目に好適に使用できる。
【符号の説明】
【００６６】
１            下地
２            目地用部材
Ａ          つなぎ目に対応する部分
Ｂ          端部
３            建築用シート
３−１        一の建築用シート
３−２        他の建築用シート
３−１a       一の建築用シートの端部
３−２a       他の建築用シートの端部
４            断熱ボード
５            無機質ボード
６            固定用ディスク
７            ビス
８，９        接合目地
１０          ウレタン系塗膜防水層
１１          溶接棒
Ｓ            建築用シートのつなぎ目構造
【図１】
2016108825.tif 000003
【図２】
2016108825.tif 000004
【図３】
2016108825.tif 000005
【図４】
2016108825.tif 000006
【図５】
2016108825.tif 000007
【図６】
2016108825.tif 000008
【図７】
2016108825.tif 000009
【図８】
2016108825.tif 000010
【図９】
2016108825.tif 000011
【図１０】
2016108825.tif 000012
【図１１】
2016108825.tif 000013
【図１２】
2016108825.tif 000014
【図１３】
2016108825.tif 000015